(57)【要約】コンピュータに、被介護者に吸収性物品を着用させた第１時刻を受け付ける第１受付処理と、前記第１時刻に前記被介護者に着用させた前記吸収性物品から排泄物が漏れていることを発見した第２時刻を受け付ける第２受付処理と、前記第１及び第２時刻に基づいて、前記吸収性物品からの排泄物の漏れを防ぐための第１メッセージを、画面に表示させる第１表示処理と、を実行させることを特徴とする排泄情報記録プログラムである。【選択図】図１１
2020003351.tif 000002
【特許請求の範囲】
【請求項１】
コンピュータに、
被介護者に吸収性物品を着用させた第1時刻を受け付ける第１受付処理と、
前記第１時刻に前記被介護者に着用させた前記吸収性物品から排泄物が漏れていることを発見した第２時刻を受け付ける第２受付処理と、
前記第１及び第２時刻に基づいて、前記吸収性物品からの排泄物の漏れを防ぐための第１メッセージを、画面に表示させる第１表示処理と、
を実行させることを特徴とする排泄情報記録プログラム。
【請求項２】
請求項１に記載の排泄情報記録プログラムであって、
前記第２時刻と前記第１時刻との差が所定時間以内か否かを判定する判定処理を、前記コンピュータに実行させ、
前記第１表示処理は、前記差が前記所定時間以内である場合、前記吸収性物品の吸収量を増加させる情報を含む前記第１メッセージを、前記画面に表示させること、
を特徴とする排泄情報記録プログラム。
【請求項３】
請求項１に記載の排泄情報記録プログラムであって、
前記第２時刻と前記第１時刻との差が所定時間以内か否かを判定する判定処理を、前記コンピュータに実行させ、
前記第１表示処理は、前記差が前記所定時間より長い場合、前記被介護者の吸収性物品交換間隔を前記所定時間より短くする情報を含む前記第１メッセージを、前記画面に表示させること、
を特徴とする排泄情報記録プログラム。
【請求項４】
請求項１に記載の排泄情報記録プログラムであって、
前記第２時刻と前記第１時刻との差が所定時間以内か否かを判定する判定処理を、前記コンピュータに実行させ、
前記第１表示処理は、前記差が前記所定時間より長い場合、前記被介護者に前記吸収性物品を着用させる時刻を、前記第１時刻から変更する情報を含む前記第１メッセージを、前記画面に表示させること、
を特徴とする排泄情報記録プログラム。
【請求項５】
請求項２または請求項３に記載の排泄情報記録プログラムであって、
前記吸収性物品の吸収量を増加させることができるか否かを示す情報を受け付ける第３受付処理を、前記コンピュータに実行させ、
前記第１表示処理は、
前記差が前記所定時間以内の際に、前記吸収性物品の吸収量を増加させることができることを示す情報が受け付けられた場合、前記吸収性物品の吸収量を増加させる情報を含む前記第１メッセージを、前記画面に表示させ、前記吸収性物品の吸収量を増加させることができないことを示す情報が受け付けられた場合、前記被介護者の吸収性物品交換時間を前記所定時間より短くする情報を含む前記第１メッセージを、前記画面に表示させること、
を特徴とする排泄情報記録プログラム。
【請求項６】
請求項２から５の何れか一項に記載の排泄情報記録プログラムであって、
前記第１メッセージは、前記所定時間における前記被介護者の尿の量の測定を促す情報を更に含むこと、
を特徴とする排泄情報記録プログラム。
【請求項７】
請求項１から６の何れか一項に記載の排泄情報記録プログラムであって、
前記第２時刻が受け付けられた後、前記被介護者の着用する前記吸収性物品のサイズが、前記被介護者に合ったサイズであるか否かを確認させるための第２メッセージを、前記画面に表示させる第２表示処理を、前記コンピュータに実行させること、
を特徴とする排泄情報記録プログラム。
【請求項８】
請求項１から７の何れか一項に記載の排泄情報記録プログラムであって、
前記第２時刻が受け付けられた後、前記被介護者の着用する前記吸収性物品の使用方法が適切であったか否かを確認させるための第３メッセージを、前記画面に表示させる第３表示処理を、前記コンピュータに実行させること、
を特徴とする排泄情報記録プログラム。
【請求項９】
請求項８に記載の排泄情報記録プログラムであって、
前記第３メッセージは、前記吸収性物品として使用された吸収パッドの枚数が複数であるか否かを確認させるメッセージを含むこと、
を特徴とする排泄情報記録プログラム。
【請求項１０】
請求項８に記載の排泄情報記録プログラムであって、
前記第３メッセージは、前記吸収性物品として使用されたおむつの前後が正しいか否かを確認させるメッセージを含むこと、
を特徴とする排泄情報記録プログラム。
【請求項１１】
請求項８から１０の何れか一項に記載の排泄情報記録プログラムであって、
前記被介護者の着用する前記吸収性物品の使用方法が適切でない場合、前記被介護者に着用された前記吸収性物品の撮影を促す第４メッセージを、前記画面に表示させる第４表示処理を、前記コンピュータに実行させること、
を特徴とする排泄情報記録プログラム。
【請求項１２】
請求項１から１１の何れか１項に記載の排泄情報記録プログラムであって、
前記第２時刻が受け付けられた際に表示される前記第１メッセージを、前記第２時刻に対応付けて、記憶部に記録する記録処理を、前記コンピュータに実行させること、
を特徴とする排泄情報記録プログラム。
【請求項１３】
コンピュータに、
被介護者に着用させた吸収性物品から排泄物が漏れていることを発見した時刻を受け付ける受付処理と、
前記時刻が受け付けられた後、前記被介護者の着用する前記吸収性物品のサイズが、前記被介護者に合ったサイズであるか否かを確認させるためのサイズ確認メッセージを、画面に表示させる表示処理と、
を実行させることを特徴とする排泄情報記録プログラム。
【請求項１４】
コンピュータに、
被介護者に着用させた吸収性物品から排泄物が漏れていることを発見した時刻を受け付ける受付処理と、
前記時刻が受け付けられた後、前記被介護者の着用する前記吸収性物品の使用方法が適切であったか否かを確認させるための使用方法確認メッセージを、画面に表示させる表示処理と、
を実行させることを特徴とする排泄情報記録プログラム。
【請求項１５】
被介護者に吸収性物品を着用させた第1時刻を、コンピュータが受け付ける第１受付ステップと、
前記第１時刻に前記被介護者に着用させた前記吸収性物品から排泄物が漏れていることを発見した第２時刻を、前記コンピュータが受け付ける第２受付ステップと、
前記第１及び第２時刻に基づいて、前記吸収性物品からの前記排泄物の漏れを防ぐための第１メッセージを、前記コンピュータが画面に表示させる第１表示処理ステップと、
を含むことを特徴とする排泄情報記録方法。
【請求項１６】
被介護者に吸収性物品を着用させた第1時刻を受け付ける第１受付処理部と、
前記第１時刻に前記被介護者に着用させた前記吸収性物品から排泄物が漏れていることを発見した第２時刻を受け付ける第２受付処理部と、
前記第１及び第２時刻に基づいて、前記吸収性物品からの前記排泄物の漏れを防ぐための第１メッセージを、画面に表示させる第１表示処理部と、
を含むことを特徴とする排泄情報記録用コンピュータ。
【発明の詳細な説明】
【技術分野】
【０００１】
本発明は、排泄情報記録プログラム、排泄情報記録方法、及び排泄情報記録用コンピュータに関する。
【背景技術】
【０００２】
介護施設等では、介護者は、一般的に介護施設で定めた時間間隔で被介護者のおむつを交換する（例えば、特許文献１参照）。
【先行技術文献】
【特許文献】
【０００３】
【特許文献１】特願２０１７−３９５８７号公報
【発明の概要】
【発明が解決しようとする課題】
【０００４】
ところで、介護者が、被介護者のおむつを所定間隔で交換した場合であっても、おむつ交換時に、排泄物が吸収パッドやおむつから漏れてしまっていることがある。このような排泄物の漏れを防ぐためには、例えば、おむつの交換間隔を短くすることが考えらえるが、介護者の負担が増加してしまう。また、吸収パッドやおむつの使用方法等が適切でない場合にも、排泄物がおむつの外に漏れることもあるため、おむつの交換間隔を短くしても効果が得られないこともある。したがって、被介護者の着用するおむつ等から、排泄物が外に漏れることを防ぐことは難しかった。【０００５】
本発明は、上記のような従来の問題に鑑みてなされたものであって、その目的は、排泄情報記録プログラム、排泄情報記録方法、及び排泄情報記録用コンピュータを提供することにある。
【課題を解決するための手段】
【０００６】
上記目的を達成するための主たる発明は、コンピュータに、被介護者に吸収性物品を着用させた第1時刻を受け付ける第１受付処理と、前記第１時刻に前記被介護者に着用させた前記吸収性物品から排泄物が漏れていることを発見した第２時刻を受け付ける第２受付処理と、前記第１及び第２時刻に基づいて、前記吸収性物品からの排泄物の漏れを防ぐための第１メッセージを、画面に表示させる第１表示処理と、を実行させることを特徴とする排泄情報記録プログラムである。
【発明の効果】
【０００７】
本発明によれば、被介護者の着用する吸収パッドやおむつから、排泄物が外に漏れることを防ぐことができる。
【図面の簡単な説明】
【０００８】
【図１】端末１０を説明するための図である。
【図２】排泄情報記録プログラムが実行された際の処理の一例を示すフローチャートである。
【図３】おむつ着用時刻入力画面７０を説明するための図である。
【図４】漏れ防止アドバイス表示処理の一例を示すフローチャートである。
【図５】漏れ発見時刻入力画面７１を説明するための図である。
【図６】サイズ確認処理の一例を示すフローチャートである。
【図７】サイズ確認画面７２を説明するための図である。
【図８】使用方法確認処理の一例を示すフローチャートである。
【図９】使用方法確認画面７３を説明するための図である。
【図１０】おむつの撮影を促すメッセージを示す図である。
【図１１】漏れ防止方法特定処理の一例を示すフローチャートである。
【図１２】アドバイス画面７５を説明するための図である。
【図１３】吸収量確認画面７６を説明するための図である。
【図１４】アドバイス画面７７を説明するための図である。
【図１５】アドバイス画面８０を説明するための図である。
【図１６】記録確認処理の一例を示すフローチャートである。
【図１７】記録確認画面８１を説明するための図である。
【図１８】記録情報３００を説明するための図である。
【発明を実施するための形態】
【０００９】
本明細書及び添付図面の記載により、少なくとも以下の事項が明らかとなる。  
コンピュータに、被介護者に吸収性物品を着用させた第1時刻を受け付ける第１受付処理と、
前記第１時刻に前記被介護者に着用させた前記吸収性物品から排泄物が漏れていることを発見した第２時刻を受け付ける第２受付処理と、前記第１及び第２時刻に基づいて、前記吸収性物品からの排泄物の漏れを防ぐための第１メッセージを、画面に表示させる第１表示処理と、を実行させることを特徴とする排泄情報記録プログラムである。
【００１０】
このようなプログラムによれば、介護者は、漏れを防ぐメッセージに沿った対策をとることができるため、被介護者の着用する吸収パッドやおむつから、排泄物が外に漏れることを防ぐことができる。
【００１１】
かかるプログラムであって、前記第２時刻と前記第１時刻との差が所定時間以内か否かを判定する判定処理を、前記コンピュータに実行させ、前記第１表示処理は、前記差が前記所定時間以内である場合、前記吸収性物品の吸収量を増加させる情報を含む前記第１メッセージを、前記画面に表示させること、が望ましい。
【００１２】
このようなプログラムによれば、介護者は、おむつや吸収パッドの吸収量を増加させることにより、外漏れの発生を防ぐことができる。
【００１３】
かかるプログラムであって、前記第２時刻と前記第１時刻との差が所定時間以内か否かを判定する判定処理を、前記コンピュータに実行させ、前記第１表示処理は、前記差が前記所定時間より長い場合、前記被介護者の吸収性物品交換間隔を前記所定時間より短くする情報を含む前記第１メッセージを、前記画面に表示させること、が望ましい。
【００１４】
このようなプログラムによれば、介護者は、被介護者のおむつの交換間隔を短くすることができるため、介護者は、より確実に、被介護者のおむつ等から排泄物が漏れることを防ぐことができる。
【００１５】
かかるプログラムであって、前記第２時刻と前記第１時刻との差が所定時間以内か否かを判定する判定処理を、前記コンピュータに実行させ、前記第１表示処理は、前記差が前記所定時間より長い場合、前記被介護者に前記吸収性物品を着用させる時刻を、前記第１時刻から変更する情報を含む前記第１メッセージを、前記画面に表示させること、が望ましい。
【００１６】
このようなプログラムによれば、介護者は、被介護者のおむつを着用する時刻を変更することができる。これにより、おむつの交換間隔の時間を変化させない場合であっても、被介護者が交換間隔内で排泄する回数を減らすことも可能であるため、漏れが発生する可能性を低下させることができる。
【００１７】
かかるプログラムであって、前記吸収性物品の吸収量を増加させることができるか否かを示す情報を受け付ける第３受付処理を、前記コンピュータに実行させ、前記第１表示処理は、前記差が前記所定時間以内の際に、前記吸収性物品の吸収量を増加させることができることを示す情報が受け付けられた場合、前記吸収性物品の吸収量を増加させる情報を含む前記第１メッセージを、前記画面に表示させ、前記吸収性物品の吸収量を増加させることができないことを示す情報が受け付けられた場合、前記被介護者の吸収性物品交換時間を前記所定時間より短くする情報を含む前記第１メッセージを、前記画面に表示させること、が望ましい。
【００１８】
このようなプログラムによれば、おむつ等の吸収量を増加させることができる場合には、吸収量を増加させるメッセージが表示される。このため、介護者は、介護者にとって負担の大きい対策である交換間隔の短縮化を実行する前に、有効な対策を取ることができる。
【００１９】
かかるプログラムであって、前記第１メッセージは、前記所定時間における前記被介護者の尿の量の測定を促す情報を更に含むこと、が望ましい。
【００２０】
このようなプログラムによれば、介護者は、被介護者の尿の量を測定し、尿の量を把握することができる。このため、介護者は、被介護者にとって最適なおむつまたは吸収パッドや、最適なおむつの交換間隔を把握することができる。
【００２１】
かかるプログラムであって、前記第２時刻が受け付けられた後、前記被介護者の着用する前記吸収性物品のサイズが、前記被介護者に合ったサイズであるか否かを確認させるための第２メッセージを、前記画面に表示させる第２表示処理を、前記コンピュータに実行させること、が望ましい。
【００２２】
このようなプログラムによれば、被介護者が適切なサイズのおむつが着用されているかを、介護者に確認させることが可能となるため、より確実に外漏れを防ぐことができる。
【００２３】
かかるプログラムであって、前記第２時刻が受け付けられた後、前記被介護者の着用する前記吸収性物品の使用方法が適切であったか否かを確認させるための第３メッセージを、前記画面に表示させる第３表示処理を、前記コンピュータに実行させること、が望ましい。
【００２４】
このようなプログラムによれば、被介護者が着用するおむつ、またはおむつに用いられる吸収パッドが正しく使用されているかを、介護者に確認させることが可能となるため、より確実に外漏れを防ぐことができる。
【００２５】
かかるプログラムであって、前記第３メッセージは、前記吸収性物品として使用された吸収パッドの枚数が複数であるか否かを確認させるメッセージを含むこと、が望ましい。
【００２６】
このようなプログラムによれば、おむつに用いられる吸収パッドの枚数が正しいかを、介護者に確認させることが可能となる。このような具体的なメッセージが表示されることにより、介護者は、何を確認すれば良いのか容易に把握することができる。
【００２７】
かかるプログラムであって、前記第３メッセージは、前記吸収性物品として使用されたおむつの前後が正しいか否かを確認させるメッセージを含むこと、が望ましい。
【００２８】
このようなプログラムによれば、おむつの前後が正しいかを、介護者に確認させることが可能となる。このような具体的なメッセージが表示されることにより、介護者は、何を確認すれば良いのか容易に把握することができる。
【００２９】
かかるプログラムであって、前記被介護者の着用する前記吸収性物品の使用方法が適切でない場合、前記被介護者に着用された前記吸収性物品の撮影を促す第４メッセージを、前記画面に表示させる第４表示処理を、前記コンピュータに実行させること、が望ましい。
【００３０】
このようなプログラムによれば、介護施設のスタッフや介護者は、後に撮影された画像を参照して、おむつ等から排泄物が漏れた際の状況を詳しく解析できるため、漏れの原因を具体的に把握することが可能となる。
【００３１】
かかるプログラムであって、前記第２時刻が受け付けられた際に表示される前記第１メッセージを、前記第２時刻に対応付けて、記憶部に記録する記録処理を、前記コンピュータに実行させること、が望ましい。
【００３２】
このようなプログラムによれば、外漏れが発見された際のメッセージが時刻とともに記録されるため、プログラムを利用する者は、外漏れの回数、時刻等の推移や長期的な傾向を把握することが可能となる。
【００３３】
コンピュータに、被介護者に着用させた吸収性物品から排泄物が漏れていることを発見した時刻を受け付ける受付処理と、前記時刻が受け付けられた後、前記被介護者の着用する前記吸収性物品のサイズが、前記被介護者に合ったサイズであるか否かを確認させるためのサイズ確認メッセージを、前記画面に表示させる表示処理と、を実行させることを特徴とする排泄情報記録プログラムである。
【００３４】
このようなプログラムによれば、介護者は、漏れを発見した後に、おむつのサイズが適切であったか否かを忘れることなく確認することができる。
【００３５】
コンピュータに、被介護者に着用させた吸収性物品から排泄物が漏れていることを発見した時刻を受け付ける受付処理と、前記時刻が受け付けられた後、前記被介護者の着用する前記吸収性物品の使用方法が適切であったか否かを確認させるための使用方法確認メッセージを、前記画面に表示させる表示処理と、を実行させることを特徴とする排泄情報記録プログラムである。
【００３６】
このようなプログラムによれば、介護者は、漏れを発見した後に、おむつの使用法が適切であったか否かを忘れることなく確認することができる。
【００３７】
被介護者に吸収性物品を着用させた第1時刻を、コンピュータが受け付ける第１受付ステップと、前記第１時刻に前記被介護者に着用させた前記吸収性物品から排泄物が漏れていることを発見した第２時刻を、前記コンピュータが受け付ける第２受付ステップと、前記第１及び第２時刻に基づいて、前記吸収性物品からの前記排泄物の漏れを防ぐための第１メッセージを、前記コンピュータが画面に表示させる第１表示処理ステップと、を含むことを特徴とする排泄情報記録方法である。
【００３８】
このような方法によれば、被介護者の着用する吸収パッドやおむつから、排泄物が外に漏れることを防ぐことができる。
【００３９】
被介護者に吸収性物品を着用させた第1時刻を受け付ける第１受付処理部と、前記第１時刻に前記被介護者に着用させた前記吸収性物品から排泄物が漏れていることを発見した第２時刻を受け付ける第２受付処理部と、前記第１及び第２時刻に基づいて、前記吸収性物品からの前記排泄物の漏れを防ぐための第１メッセージを、画面に表示させる第１表示処理部と、を含むことを特徴とする排泄情報記録用コンピュータである。
【００４０】
このようなコンピュータによれば、被介護者の着用する吸収パッドやおむつから、排泄物が外に漏れることを防ぐことができる。
【００４１】
＝＝＝本実施形態＝＝＝
図１は、端末１０を示す図である。端末１０は、スマートフォンやタブレットであり、端末１０には、様々な機能が実現される。端末１０は、被介護者の「排泄情報（排泄物に関する情報）」を記録する処理や、記録結果に基づいて、被介護者の着用するおむつやおむつの吸収パッドから排泄物が外へ漏れること（以下、「外漏れ」という。）を防ぐためのアドバイス等を表示する処理を実行する。なお、本実施形態では、「おむつ」および「吸収パッド」は、ともに「吸収性物品」に相当する。そして、吸収パッドから排泄物が外へ漏れる状態とは、吸収パッドからは排泄物が漏れているものの、おむつの外には漏れていない状態をいう。また、おむつから排泄物が外へ漏れる状態とは、被介護者のおむつから排泄物が外へ漏れ、例えば被介護者の衣服や被介護者の使用するベッドに排泄物が付着する状態をいう。
【００４２】
端末１０（コンピュータ）は、記憶部２０、制御部２１、入力部２２、画面２３、通信部２４及びカメラ２５を有している。
【００４３】
記憶部２０は、端末１０のプロセッサ（不図示）が実行する排泄情報記録プログラム（以下、「プログラム」という。）や各種情報を記憶する。記憶部２０は、例えば、介護施設での介護の対象となる被介護者に関する情報（例えば、名前、性別、生年月日、身長、体重）、おむつを交換した日時（日付及び時刻）、外漏れの発見日時、介護施設で定められたおむつの交換間隔の時間に関する情報を記憶する。
【００４４】
制御部２１は、端末１０に設けられたプロセッサ（不図示）が、プログラムを実行することにより、端末１０に実現される機能ブロックである。制御部２１は、端末１０を統括制御するとともに、各種処理を実行するブロックを複数含む。なお、制御部２１に実現される機能ブロックについての詳細は後述する。
【００４５】
入力部２２には、端末１０を操作者（以下、単に「操作者」という。）の操作結果が入力される。また、入力部２２は、端末１０のタッチパネルである画面２３のタップ操作により実現される。なお、本実施形態において、端末１０を操作する者は、例えば、介護施設の介護者やスタッフである。
【００４６】
画面２３は、制御部２１からの指令や操作者の操作結果に基づいて各種の情報を表示し、通信部２４は、各種情報を他の機器等とやり取りする。また、カメラ２５は、撮影によって画像データを取得する。
【００４７】
＜＜制御部２１に実現される機能ブロック＞＞
制御部２１は、第１時刻受付処理部５０、第２時刻受付処理部５１、吸収量情報受付処理部５２、
判定処理部５３、第１画面表示処理部５４、第２画面表示処理部５５、第３画面表示処理部５６、及び第４画面表示処理部５７を含む。
【００４８】
第１時刻受付処理部５０（第１受付処理部）は、介護者が、被介護者のおむつを交換し、被介護者におむつを着用させた時刻Ｔ１（第１時刻）を受け付ける。
【００４９】
第２時刻受付処理部５１（第２受付処理部）は、介護者が、被介護者の着用するおむつ、または吸収パッド（以下、単に「パッド」という。）から排泄物が漏れていることを発見した時刻Ｔ２（第２時刻）を受け付ける。
【００５０】
吸収量情報受付処理部５２は、被介護者のおむつの吸収量、またはおむつに用いられるパッドの吸収量を増加させることができるか否かに関する情報を受け付ける。なお、おむつの吸収量は、例えば、おむつ自体に設けられた「吸収体」の厚みを厚くすることにより増加させることができる。また、パッドの吸収量は、例えば「パッド」の種類を変更等することにより増加させることができる。
【００５１】
判定処理部５３は、被介護者におむつを着用させた時刻Ｔ１と、おむつから排泄物が漏れていることを発見した時刻Ｔ２との差が、介護施設で定められた、所定時間のおむつの交換間隔以内か否かを判定する。
【００５２】
第１画面表示処理部５４（第１表示処理部）は、おむつまたはパッドから排泄物が漏れることを防ぐためのアドバイスを含むアドバイス画面７５，７７，８０（後述）を、画面２３に表示させる。
【００５３】
第２画面表示処理部５５は、被介護者の着用するおむつのサイズが、被介護者に合ったサイズであるか否かを確認するためのサイズ確認画面７２（後述）を、画面２３に表示させる。
【００５４】
第３画面表示処理部５６は、被介護者の着用したおむつの使用方法が適切であるか否かを確認するための使用方法確認画面７３（後述）を、画面２３に表示させる。
【００５５】
第４画面表示処理部５７は、被介護者の着用したおむつの撮影を促すメッセージを、画面２３に表示させる。
【００５６】
＜＜＜排泄情報記録プログラムの実行する処理の概要＞＞＞
図２及び図３を参照としつつ、本実施形態のプログラムが実行する処理Ｓ１０について説明する。ここでは、便宜上、特定の「被介護者Ａ」の排泄情報を記録する場合を例に説明する。また、本実施形態では、介護施設での夜から翌朝にかけたおむつの交換間隔が、例えば「７時間（所定時間）」であるとする。つまり、例えば「被介護者Ａ」のおむつを、「被介護者Ａ」が就寝するタイミングである２２時に交換すると、次のおむつの交換タイミングは、翌朝５時となる。
【００５７】
まず、画面２３に表示された、排泄情報記録プログラムを示すアイコン（不図示）を操作者がタップすると、プログラムが起動される（Ｓ２０）。この結果、制御部２１は、図３に示すおむつ着用時刻入力画面７０を、画面２３に表示する（Ｓ２１）。ここで、おむつ着用時刻入力画面７０は、
メッセージ画像１００，１０１と、アイコン１０２を含む。メッセージ画像１００は、「おむつを着用させた時刻を入力してください」との表示を含み、メッセージ画像１０１は、日時を入力するための画像であり「Ｘ月Ｘ日  〇時〇分」との表示を含む。また、アイコン１０２は、介護者が、「被介護者Ａ」のおむつの外に排泄物が漏れていることを発見した際にタップされるアイコンであり、「外漏れ発見」との表示を含む。
【００５８】
操作者が、画面２３をタップして、メッセージ画像１０１に、おむつを交換した日時（例えば、「５月２４日  ２２時０５分」）を入力すると、第１時刻受付処理部５０は、「５月２４日  ２２時０５分」を「被介護者Ａ」におむつを着用させた時刻Ｔ１（第１時刻）として受け付ける（Ｓ２２：第１受付処理）。
【００５９】
また、ここでは、見回りを行うスタッフや、おむつを交換する介護者が「被介護者Ａ」のおむつ、またはパッドから排泄物が漏れているか否かを確認する。そして、例えば、おむつ交換を行う介護者が「被介護者Ａ」に外漏れが生じていることを発見すると、アイコン１０２はタップされる（Ｓ２３：Ｙｅｓ）。この結果、漏れ防止アドバイス表示処理（後述）が実行される（Ｓ２４）。一方、翌朝のおむつ交換タイミング（朝５時）において、「被介護者Ａ」のおむつから排泄物が漏れていない場合、アイコン１０２はタップされず（Ｓ２３：Ｎｏ）、処理は終了する。
【００６０】
＝＝＝漏れ防止アドバイス表示処理Ｓ２４＝＝＝
図４は、漏れ防止アドバイス表示の一例を示すフローチャートである。まず、上述したアイコン１０２がタップされると、制御部２１は、漏れ発見時刻入力画面７１を、画面２３に表示させる（Ｓ３０）。漏れ発見時刻入力画面７１は、メッセージ画像１１０，１１１を含む。メッセージ画像１１０は、「漏れ発見時刻を入力してください」との表示を含み、メッセージ画像１１１は、日時を入力するための画像であり「Ｘ月Ｘ日  〇時〇分」との表示を含む。
【００６１】
漏れを発見した操作者が、画面２３をタップして、メッセージ画像１１１に漏れを発見した日時（例えば、「５月２５日  ０５時０３分」）を入力すると、第２時刻受付処理部５１は、「５月２５日  ０５時０３分」を、排泄物の漏れを発見した時刻Ｔ２（第２時刻）として受け付ける（Ｓ３１：第２受付処理）。そして、制御部２１は、サイズ確認処理を実行する（Ｓ３２）。
【００６２】
＝＝＝サイズ確認処理Ｓ３２等＝＝＝
図６は、サイズ確認処理Ｓ３２の一例を示すフローチャートである。まず、第２画面表示処理部５５は、図７に示すサイズ確認画面７２を、画面２３に表示させる（Ｓ５０：第２表示処理）。ここで、サイズ確認画面７２は、「被介護者Ａ」に着用されたおむつのサイズが適切であるか否かを確認するための画面であり、メッセージ画像１２０，１２１を含む。
【００６３】
メッセージ画像１２０（第２メッセージ）は、「おむつのサイズは適切ですか？」との表示（サイズ確認メッセージ）を含み、メッセージ画像１２１は、おむつのサイズが適切か否かを選択させる選択肢「はい」、「いいえ」を含む。
【００６４】
ここで、操作者は、「被介護者Ａ」に着用された実際のおむつのサイズを確認し、適切なサイズであるか否かを判断する。なお、「被介護者Ａ」のおむつのサイズが適切であるか否かは、例えば、「被介護者Ａ」の身長、体重等に基づいて予め定められている。例えば、本実施形態の「被介護者Ａ」に適切なサイズは、「Ｓ（Ｓｍａｌｌ）サイズ」〜「Ｌ（Ｌａｒｇｅ）サイズ」のうち、「Ｓサイズ」であることとする。このため、ここでは、操作者は「被介護者Ａ」に適切なサイズである「Ｓサイズ」が着用されているかを確認する。
【００６５】
このようなメッセージ画像１２０が表示されることにより、介護者は、被介護者のおむつが適切なサイズであるかを忘れることなく、確認することができる。このため、本実施形態では、外漏れが発生した原因の特定が容易となる
そして、操作者は、「被介護者Ａ」のおむつが適切なサイズであると判断すると、メッセージ画像１２１の選択肢「はい」をタップし、「被介護者Ａ」のおむつが適切なサイズでないと判断すると、メッセージ画像１２１の選択肢「いいえ」をタップする。この結果、制御部２１は、メッセージ画像１２１における、「はい」または「いいえ」のうち、選択された選択肢を受け付ける（Ｓ５１）。
【００６６】
そして、制御部２１は、処理Ｓ５１で受け付けられた選択肢に基づいた処理を実行する（Ｓ３３）。具体的には、制御部２１は、「被介護者Ａ」のおむつのサイズが適切でないことを示す「いいえ」の選択肢が受け付けられると（Ｓ３３：Ｎｏ）、サイズに関するアドバイス（不図示）を画面２３に表示する（Ｓ３４）。なお、処理Ｓ３４では、例えば、「被介護者のおむつのサイズが誤っていると外漏れが発生することがあります  適切なサイズのおむつを使用してください」とのアドバイスが表示される。
【００６７】
一方、「被介護者Ａ」のおむつのサイズが適切であることを示す「はい」の選択肢が受け付けられると（Ｓ３３：Ｙｅｓ）、使用方法確認処理（後述）を実行する（Ｓ３５）。
【００６８】
＝＝使用方法確認処理Ｓ３５等＝＝
図８は、使用方法確認処理Ｓ３５の一例を示すフローチャートである。まず、第３画面表示処理部５６は、図９に示す使用方法確認画面７３を、画面２３に表示させる（Ｓ６０：第３表示処理）。ここで、使用方法確認画面７３は、「被介護者Ａ」が着用するおむつ及びおむつに用いられるパッドの使用方法が適切であるか否かを確認するための画面であり、メッセージ画像１３０，１３１を含む。
【００６９】
メッセージ画像１３０（第３メッセージ）は、「おむつ及びパッドの使用方法は適切ですか？」、「吸収パッドが２枚以上使われていないかを確認してください」、「おむつの前後が正しいかを確認してください」との表示（使用方法確認メッセージ）を含む。また、メッセージ画像１３１は、使用方法が適切か否かを選択させる選択肢「はい」、「いいえ」を含む。
【００７０】
ここで、操作者は、「被介護者Ａ」に着用された実際のおむつ及びパッドの使用状態を確認し、使用方法が適切か否かを判断する。なお、「被介護者Ａ」のおむつ等の適切な使用方法は、予め定められており、操作者は、例えば、メッセージ画像１３０に含まれる項目等を確認する。なお、本実施形態では、メッセージ画像１３０には、パッドの枚数と、おむつの前後に関する事項の表示が含まれることをしたが、これに限られない。例えば、「被介護者の性別用のおむつかを確認してください」等の事項が含まれていても良い。このようなメッセージが表示されると、介護者は、「被介護者Ａ」の性別に合ったおむつが、「被介護者Ａ」に着用されているかを確認する。また、操作者は、おむつの適切な使用方法が記載された介護施設のマニュアル等を参照しつつ、おむつの使用方法が適切か否かを判断しても良い。
【００７１】
このようなメッセージ画像１３０が表示されることにより、介護者は、被介護者のおむつ等の使用方法を忘れることなく、確認することができる。このため、本実施形態では、外漏れが発生した原因の特定が容易となる。
【００７２】
操作者は、「被介護者Ａ」のおむつ等の使用方法が適切であると判断すると、メッセージ画像１３１の選択肢「はい」をタップし、使用方法が適切でないと判断すると、メッセージ画像１３１の選択肢「いいえ」をタップする。この結果、制御部２１は、メッセージ画像１３１における、「はい」または「いいえ」のうち、選択された選択肢を受け付ける（Ｓ６１）。
【００７３】
また、使用方法が適切であることを示す選択肢「はい」が選択されると（Ｓ６２：Ｙｅｓ）、制御部２１は、使用方法確認処理Ｓ３５を終了する。一方、使用方法が適切でないことを示す選択肢「いいえ」が選択されると（Ｓ６２：Ｎｏ）、制御部２１は、図１０に示すように、着用されたおむつの撮影を促すメッセージ１４０（第４メッセージ）を、画面２３に表示する（Ｓ６３：第４表示処理）。ここで、メッセージ１４０は、「着用されたおむつをカメラで撮影してください」との表示を含む。そして、操作者が、端末１０を操作して、「被介護者Ａ」に着用されたおむつ（例えば、複数のパッドが使用されたおむつ）を撮影すると、使用済みのおむつの画像が、画像データとして記憶部２０に格納される（Ｓ６４）。なお、記憶部２０に画像データが格納されると、介護施設の介護者、スタッフは、画像データを適宜参照できるため、おむつの誤った使用方法についての知見を蓄積することができる。
【００７４】
また、制御部２１は、図４において、使用方法確認処理Ｓ３５で受け付けられた選択肢に基づいた処理を実行する（Ｓ３６）。具体的には、制御部２１は、処理Ｓ６１で、おむつの使用方法が適切でないことを示す「いいえ」の選択肢が受け付けられると（Ｓ３６：Ｎｏ）、使用方法に関するアドバイス（不図示）を画面２３に表示する（Ｓ３７）。なお、処理Ｓ３７では、例えば、「おむつ、またはパッドの使用方法が誤っていると外漏れが発生することがあります  パッド及びおむつは正しく使用してください」とのアドバイスが表示される。一方、処理Ｓ６１で、おむつの使用方法が適切であることを示す「はい」の選択肢が受け付けられると（Ｓ３６：Ｙｅｓ）、漏れ防止方法特定処理（後述）を実行する（Ｓ３８）。
【００７５】
＝＝漏れ防止方法特定処理Ｓ３８＝＝
図１１は、漏れ防止方法特定処理Ｓ３８の一例を示すフローチャートである。まず、判定処理部５３は、「被介護者Ａ」におむつを着用させた時刻Ｔ１と、外漏れを発見した時刻Ｔ２との差が上述したおむつ交換の間隔である「７時間（所定時間）」以内であるか否かを判定する（Ｓ７０）。
【００７６】
＜＜時刻Ｔ１，Ｔ２の差が所定時間以内でない場合＞＞
時刻Ｔ１，Ｔ２の差が「７時間」より長い場合（Ｓ７０：Ｎｏ）、第１画面表示処理部５４は、アドバイス画面７５を、画面２３に表示させる（Ｓ７１：第１表示処理）。アドバイス画面７５は、図１２に示すように、メッセージ画像１５０，１５１を含む。メッセージ画像１５０（第１メッセージ）は、「おむつの交換間隔を短くしてください」との表示を含み、メッセージ画像１５１（第１メッセージ）は、「最適なおむつ交換間隔を把握するには尿量測定が有効です  尿量測定を行ってください」との表示を含む。
【００７７】
このようなメッセージ画像１５０が表示されることにより、例えば介護者は、「被介護者Ａ」のおむつ交換間隔を「７時間」より短くすることができる。このような対策が施されることにより、外漏れが発生する確率を低下させることができる。また、介護者は、別途、夜２２時〜翌朝５時までの「７時間」の間に、「被介護者Ａ」が排泄する尿量を測定しても良い。尿量が測定されると、どの程度の間隔で「被介護者Ａ」のおむつを交換する必要があるかを把握できるため、外漏れが発生する可能性を更に低下させることができる。
【００７８】
＜＜時刻Ｔ１，Ｔ２の差が所定時間以内の場合＞＞
また、時刻Ｔ１，Ｔ２の差が「７時間」以内の場合（Ｓ７０：Ｙｅｓ）、制御部２１は、図１３に示す、吸収量確認画面７６を、画面２３に表示させる（Ｓ７２）。吸収量確認画面７６は、メッセージ画像１６０，１６１を含む。メッセージ画像１６０は、「おむつまたはパッドの吸収量は増加可能ですか？」、「おむつまたはパッドの吸収量については、所定サイトを参照してください」との表示を含む。
【００７９】
なお、メッセージ画像１６０の「所定サイト」は、例えば、おむつの提供者の商品を紹介等するインターネットのサイトへ案内する情報を含む表示である。操作者は、このようなインターネットのサイトで商品（おむつ、パッド）についての説明を参照することにより、使用しているおむつ等の吸収量を増加させることが可能か否かを判断することができる。また、メッセージ画像１６１は、パッドの吸収量の増加が可能か否かを選択させる選択肢「はい」、「いいえ」を含む。
【００８０】
ここで、介護者等は、「被介護者Ａ」に実際に着用されたおむつやパッドを確認し、より吸収量が高いおむつまたはパッドに変更可能か否かを判断する。なお、「被介護者Ａ」がおむつしか着用していない場合は、介護者は、おむつの吸収体の厚みを厚くできるか、または、パッドを用いることが可能かを判断する。一方、「被介護者Ａ」がおむつとパッドを用いている場合、介護者は、おむつの吸収体の厚みを厚くできるか、または、より吸収量の多いパッドが使用可能であるかを判断する。
【００８１】
おむつ、またはパッド吸収量を増加させることが可能、つまり、操作者が、より多くの排泄物を吸収できるおむつ、またはパッドを用いることができると判断した場合、操作者は、メッセージ画像１６１の選択肢「はい」をタップする。一方、おむつやパッドの吸収量を増加させることができない、つまり、操作者が、現在使用されているおむつやパッドより、吸収量が多いおむつ等はないと判断した場合、操作者は、メッセージ画像１６１の選択肢「いいえ」をタップする。この結果、制御部２１は、メッセージ画像１６１の選択肢の選択結果（吸収量の増加をさせることができるか否かを示す情報）を受け付ける（Ｓ７３：第３受付処理）。
【００８２】
そして、制御部２１は、処理Ｓ７３で受け付けられた選択肢の内容を判定する（Ｓ７４）。ここで、おむつやパッドの吸収量増加させることができないことを示す、メッセージ画像１６１の選択肢「いいえ」が選択された場合（Ｓ７４：Ｎｏ）、第１画面表示処理部５４は、前述したアドバイス画面７５を、画面２３に表示させる（Ｓ７１）。
【００８３】
一方、パッドの吸収量増加させることができることを示す、メッセージ画像１６１の選択肢「はい」が選択された場合（Ｓ７４：Ｙｅｓ）、第１画面表示処理部５４は、アドバイス画面７７を、画面２３に表示させる（Ｓ７５：第１表示処理）。
【００８４】
アドバイス画面７７は、図１４に示すように、メッセージ画像１７０，１７１を含む。メッセージ画像１７０（第１メッセージ）は、「おむつまたはパッドの吸収量を増加させて下さい  〇〇おむつまたは〇〇パッドがお勧めです」との表示を含み、メッセージ画像１７１（第１メッセージ）は、「最適なおむつやパッドを把握するには尿量測定が有効です  尿量測定を行ってください」との表示を含む。なお、メッセージ画像１７０に含まれる「〇〇おむつ」や「〇〇パッド」とは、例えば、吸収量が多い製品の具体的な製品名である。
【００８５】
このようなメッセージ画像１７０が表示されることにより、例えば介護者は、より吸収量の多いおむつやパッドを用いることができるため、外漏れが発生する確率を低下させることができる。また、介護者は、別途、夜２２時〜翌朝５時までの「７時間」の間に、「被介護者Ａ」が排泄する尿量を測定しても良い。尿量が測定されると、どの程度の吸収量のパッドが最適であるかを把握できるため、無駄に吸収量の多いおむつやパッドを用いることを避けることが可能となる。
【００８６】
＝＝記録確認処理Ｓ３９＝＝
図１６は、記録確認処理Ｓ３９の一例を示すフローチャートである。なお、記録確認処理Ｓ３９は、記憶部２０に記憶された外漏れの発見日時を、被介護者に確認（視認）させるべく、画面２３に表示させる処理である。まず、被介護者が、プログラムが実行された際に、画面２３に表示されるメイン画面の記録確認用アイコン（不図示）をタップすると、制御部２１は、図１７に示す記録確認画面８１を、画面２３に表示させる（Ｓ８０）。ここで、記録確認画面８１は、過去何日分の外漏れを発見した時間帯を示す記録情報３００（後述）を、画面２３に表示させるかを選択させるための画面であり、アイコン１０５，１０６を含む。
【００８７】
アイコン１０５は、例えば、過去３日分の記録情報３００を表示させる際にタップされるアイコンであり、「過去３日」との表示を含む。アイコン１０６は、例えば、過去１週間分の記録情報３００を表示させる際にタップされるアイコンであり、「過去１週間」との表示を含む。
【００８８】
被介護者が、記録確認画面８１のアイコン１０５，１０６の何れかをタップすると、制御部２１は、タップされたアイコン（選択されたアイコン）の情報を受け付ける（Ｓ８１）。そして、制御部２１は、タップされたアイコンの情報に応じた期間の記録情報３００を、画面２３に表示する（Ｓ８２）。図１８は、「過去３日」と表示されたアイコン１０５がタップされた際に、画面２３に表示される記録情報３００の一例である。記録情報３００は、現在の日付「６月１８日」から、過去３日（「６月１５日」〜「６月１７日」）における、外漏れを発見した時間帯を示す情報である。具体的には、図１８の記録情報３００は、「６月１６日」の「午前４時」の時間帯（午前４時から午前５時迄）に、所定のマーク「〇」が付されることにより、「午前４時」の時間帯に外漏れが発見されたことを示している。このような記録情報３００が画面２３に表示されることにより、被介護者、スタッフは、過去の所定期間における介護者の外漏れ発見時刻を客観的に把握することができる。
【００８９】
なお、画面２３に表示される記録情報３００は、外漏れが発見された時間帯以外にも、記憶部２０に格納されている各種情報を含んでいても良い。例えば、記憶部２０に、被介護者をトイレに誘導した時刻、被介護者が排尿または排便した時刻が含まれている場合、制御部２１は、トイレに誘導した時間帯、排尿、排便した時間帯も含む記録情報を画面２３に表示させることとしても良い。このような各種情報が表示されると、介護者はより客観的に被介護者の介護状況や排泄パターン等を把握することができる。また、記録情報３００が、外漏れが発見された時間帯以外の情報を含む場合、制御部２１は、外漏れが発見された時間帯を、他の情報より目立つ状態（より視認しやすい状態）として表示しても良い。例えば、外漏れが発見された時間帯のみを、所定のマーク「☆」で表示し、他の情報（排尿、排泄した時間帯）を、マーク「〇」で表示させても良い。また、外漏れが発見された時間帯と、他の情報（排尿、排泄した時間帯）を同じマークで表示する場合、外漏れが発見された時間帯のマークのみ、他のマークとは異なる色で表示させても良い。
【００９０】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００９１】
本実施形態では、時刻Ｔ１，Ｔ２の差が「７時間」より長い場合（Ｓ７０：Ｎｏ）、第１画面表示処理部５４は、図１２に示すアドバイス画面７５を、画面２３に表示させる（Ｓ７１）こととしたが、これに限られない。例えば、処理Ｓ７１において、第１画面表示処理部５４は、図１５に示すアドバイス画面８０を表示させても良い（第１表示処理）。アドバイス画面８０は、「おむつを着用させる時刻を変更してください」との表示を含むメッセージ画像２００（第１メッセージ）を含む。例えば、夜２２時〜翌朝５時までの「７時間」の間に、「被介護者Ａ」が、夜２２時３０と、翌朝４時３０とに排尿し、おむつに外漏れが発生することがある。このような場合、「被介護者Ａ」のおむつを着用させる時刻を、夜２２時から、夜２１時に変更すると、夜２２時〜翌朝４時までの「７時間」において外漏れを防ぐことも可能である。このため、アドバイス画面７５の代わりに、アドバイス画面８０を表示させることとしても良い。
【００９２】
本実施形態では画面２３がタップ操作され、時刻Ｔ１や「はい」または「いいえ」等の選択肢が入力され、受け付けられることとしたがこれに限られない。例えば、端末１０に設けられたマイク（不図示）が受信する操作者の音声に基づいて、時刻Ｔ１や選択肢が入力され、受け付けられても良い。このような構成とすることにより、介護者は端末１０の画面２３をタップ操作する必要がないため、衛生面で好ましい。
【００９３】
また、本実施形態では、介護者の操作によって外漏れ発見時刻が入力されたが、これに限られない。例えば、被介護者の吸収性物品の外縁部に漏れ検知センサ（排泄物検知センサ）等を配置し、端末１０が、漏れ検知センサが漏れを検知したことを示す信号を受信した時刻を、「外漏れ発見時刻」としても良い。
【００９４】
また、本実施形態では、介護者の操作によって外漏れ発見時刻が入力されたが、これに限られない。例えば、被介護者の吸収性物品の外縁部に漏れ検知センサ（排泄物検知センサ）等を配置し、端末１０が、漏れ検知センサが漏れを検知したことを示す信号を受信した時刻を、「外漏れ発見時刻」としても良い。
【００９５】
また、実行可能なプログラムが記憶された非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ  ｗｉｔｈ  ａｎ  ｅｘｅｃｕｔａｂｌｅ  ｐｒｏｇｒａｍ  ｔｈｅｒｅｏｎ）を用いて、コンピュータにプログラムを供給することも可能である。なお、非一時的なコンピュータの可読媒体の例は、磁気記録媒体（例えばフレキシブルディスク、磁気テープ、ハードディスクドライブ）、ＣＤ−ＲＯＭ（Ｒｅａｄ  Ｏｎｌｙ  Ｍｅｍｏｒｙ）等がある。
【符号の説明】
【００９６】
１０  端末
２０  記憶部
２１  制御部
２２  入力部
２３  画面
２４  通信部
２５  カメラ
５０  第１時刻受付処理部
５１  第２時刻受付処理部
５２  吸収量情報受付処理部
５３  判定処理部
５４  第１画面表示処理部
５５  第２画面表示処理部
５６  第３画面表示処理部
５７  第４画面表示処理部
７０  おむつ着用時刻入力画面
７１  漏れ発見時刻入力画面
７２  サイズ確認画面
７３  使用方法確認画面
７５，７７，８０  アドバイス画面
７６  吸収量確認画面
８１  記録確認画面
１００，１０１，１１０，１１１，１２０，１２１，１３０，１３１，１４０，１５０，１５１，１６０，１６１，１７０，１７１，２００  メッセージ画像
１０２，１０５，１０６  アイコン
３００  記録情報
【図１】
2020003351.tif 000003
【図２】
2020003351.tif 000004
【図３】
2020003351.tif 000005
【図４】
2020003351.tif 000006
【図５】
2020003351.tif 000007
【図６】
2020003351.tif 000008
【図７】
2020003351.tif 000009
【図８】
2020003351.tif 000010
【図９】
2020003351.tif 000011
【図１０】
2020003351.tif 000012
【図１１】
2020003351.tif 000013
【図１２】
2020003351.tif 000014
【図１３】
2020003351.tif 000015
【図１４】
2020003351.tif 000016
【図１５】
2020003351.tif 000017
【図１６】
2020003351.tif 000018
【図１７】
2020003351.tif 000019
【図１８】
2020003351.tif 000020
【国際調査報告】
2020003351.tif 000021
2020003351.tif 000022
2020003351.tif 000023
2020003351.tif 000024